(57)【要約】【課題】椅子に座りながら遊技機で遊技している遊技者が、手を大きく上げることなく遊技機用表示装置を操作することができる技術を提供【解決手段】パチンコ機３に関する情報を表示する呼出ランプ４に表示される内容を、必要がある情報表示に変更するために遊技者により操作される呼出ランプ操作装置１１と、複数のパチンコ機３が一列に整列して取り付けられるとともに呼出ランプ４が複数のパチンコ機３毎に取り付けられる遊技機島２において互いに隣接するパチンコ機３の間に配置される間柱ユニット５に呼出ランプ操作装置１１を取り付ける取付部材１３とを備えることを特徴とする呼出ランプ操作ユニット１。【選択図】図１
2015073789.tif 000002
【特許請求の範囲】
【請求項１】
遊技機に関する情報を表示する遊技機用表示装置に表示される内容を、必要がある情報表示に変更するために遊技者により操作される操作部と、
複数の前記遊技機が一列に整列して取り付けられるとともに前記遊技機用表示装置が複数の前記遊技機毎に取り付けられる遊技機島において互いに隣接する前記遊技機の間に配置される遊技機間部材に前記操作部を取り付ける取付部材とを備える
ことを特徴とする遊技機用表示装置操作ユニット。
【請求項２】
前記操作部が前記遊技機間部材に取り付けられている状態を維持して、予め設定された移動範囲内で前記操作部を移動可能に支持する支持部材を備える
ことを特徴とする請求項１に記載の遊技機用表示装置操作ユニット。
【発明の詳細な説明】
【技術分野】
【０００１】
本発明は、遊技機用表示装置の表示を切り換えるために操作される遊技機用表示装置操作ユニットに関する。
【背景技術】
【０００２】
従来、複数の遊技機（パチンコ機またはスロット機）が設置される遊技機島には、通常、遊技場内の係員を呼び出したり、大当たり回数およびスタート回数などの遊技機に関する情報を表示したりする遊技機用表示装置が、遊技機の上方に遊技機毎に設置されている（例えば、特許文献１を参照）。
【先行技術文献】
【特許文献】
【０００３】
【特許文献１】特開２０１３−１１６２７３号公報
【発明の概要】
【発明が解決しようとする課題】
【０００４】
しかし、椅子に座りながら遊技機で遊技している遊技者が、遊技機用表示装置に表示されている内容を切り換えようとする場合には、遊技機上方の遊技機用表示装置の正面に配置されている操作ボタンを操作するために、手を大きく上げなくてはならない。そして、手を大きく上げて操作ボタンを操作しようとする場合には、大抵の遊技者は、利き手である右手で操作する傾向があり、遊技機の発射ハンドルから右手を離してしまう。これにより、遊技機の稼働率が低下してしまうという問題があった。
【０００５】
本発明は、こうした問題に鑑みてなされたものであり、椅子に座りながら遊技機で遊技している遊技者が、手を大きく上げることなく遊技機用表示装置を操作することができる技術を提供することを目的とする。
【課題を解決するための手段】
【０００６】
上記目的を達成するためになされた本発明の遊技機用表示装置操作ユニットは、遊技機に関する情報を表示する遊技機用表示装置に表示される内容を、必要がある情報表示に変更するために遊技者により操作される操作部と、複数の遊技機が一列に整列して取り付けられるとともに遊技機用表示装置が複数の遊技機毎に取り付けられる遊技機島において互いに隣接する遊技機の間に配置される遊技機間部材に操作部を取り付ける取付部材とを備えることを特徴とする。
【０００７】
このように構成された本発明の遊技機用表示装置操作ユニットでは、遊技機間部材が、互いに隣接する遊技機の間に配置され、さらに取付部材により、遊技機用表示装置に表示される内容を、必要がある情報表示に変更するために遊技者により操作される操作部が遊技機間部材に取り付けられる。すなわち、遊技機用表示装置に表示される内容を、必要がある情報表示に変更するための操作部が、遊技機の側方に配置される。これにより、椅子に座りながら遊技機で遊技している遊技者は、遊技機用表示装置に表示される内容を、必要がある情報表示に変更するために、手を大きく上げることなく操作部を操作することができる。そして大抵の遊技者は、椅子に座りながら操作部を操作する場合に、利き手でない左手で操作する傾向があり、遊技機の発射ハンドルから右手を離してしまうことはない。これにより、遊技機の稼働率の低下を抑制することができる。
【０００８】
また、本発明の遊技機用表示装置操作ユニットでは、操作部が遊技機間部材に取り付けられている状態を維持して、予め設定された移動範囲内で操作部を移動可能に支持する支持部材を備えるようにしてもよい。これにより、上記移動範囲内で、遊技者が操作部を操作し易いように操作部の位置を調整することができる。
【図面の簡単な説明】
【０００９】
【図１】遊技機島２に設置された呼出ランプ操作ユニット１、パチンコ機３、呼出ランプ４および間柱ユニット５の正面図である。
【図２】呼出ランプ操作ユニット１および間柱ユニット５の斜視図である。
【図３】呼出ランプ操作装置１１の移動範囲を示す平面図である。
【発明を実施するための形態】
【００１０】
以下に本発明の実施形態について図面とともに説明する。
図１に示すように、遊技機島２には、遊技機島２の長手方向Ｄ１に沿って、複数のパチンコ遊技機（以降、パチンコ機と称す）３が設置され、さらに、各パチンコ機３に対応して呼出ランプ４がパチンコ機３の上方に設置されている。
【００１１】
呼出ランプ４の正面には、遊技者が遊技場内の店員を呼び出す場合に操作される呼出ボタン７１と、パチンコ機３に関する情報を表示する表示部７２と、表示部７２に表示される内容を切り替えるためのデータボタン７３と、点灯状態により各種情報を表示する表示灯７４が配置されている。
【００１２】
そして間柱ユニット５が、長手方向Ｄ１に沿って隣接するパチンコ機３の間に設置される。間柱ユニット５は、設置方向Ｄ１に沿って設置されている各パチンコ機３に対応して、パチンコ機３毎に設けられており、対応するパチンコ機３の左側に設置される。また間柱ユニット５の正面には、遊技者が呼出ランプ４の表示内容を変更するときに操作される呼出ランプ操作ユニット１と、飲料缶およびペットボトル等を収容するカップホルダユニット６と、遊技機説明書などの冊子を収納する冊子収納ユニット７が取り付けられている。
【００１３】
呼出ランプ操作ユニット１は、図２に示すように、呼出ランプ操作装置１１と、呼出ランプ操作装置１１を回転可能に支持する回転支持部１２と、呼出ランプ操作装置１１を間柱ユニット５に取り付けるための取付部材１３を備える。
【００１４】
呼出ランプ操作装置１１は、呼出ランプ操作装置１１の構成部品を収納する本体ケース２１と、本体ケース２１の表面に配置された複数の操作ボタンにより構成される操作ボタン群２２を備える。
【００１５】
そして呼出ランプ操作装置１１は、信号線（不図示）で呼出ランプ４と接続されている。そして呼出ランプ操作装置１１は、遊技者により操作ボタン群２２が操作されると、その操作内容を示す信号を信号線を介して呼出ランプ４へ出力するように構成されている。
【００１６】
また回転支持部１２は、取付部材１３に固定されており、図３に示すように、取付部材１３の表面と平行な回転軸を中心にして、呼出ランプ操作装置１１を左右方向（本実施形態では、左右それぞれ０°〜５０°）に回転させることができる（図３の移動範囲Ｒ１を参照）。
【００１７】
間柱ユニット５は、遊技機島２に固定されるフレームであり、図２に示すように、フレームの正面を構成する正面板３１と、フレームの両側面を構成する側面板３２，３３とを備える。
【００１８】
正面板３１は、矩形状に形成されている。そして正面板３１の長辺は、パチンコ機３の高さにほぼ等しい長さに設定されているとともに、正面板３１の短辺は、隣接するパチンコ機３の間の距離より短くなるように設定されている。
【００１９】
側面板３２，３３は、矩形状に形成されている。そして側面板３２，３３は、正面板３１の長辺を構成する端縁部から、正面板３１を挟んで呼出ランプ操作装置１１が配置されるのとは反対側へ向かって、正面板３１に対して垂直方向に突出する。
【００２０】
そして正面板３１には、矩形状の開口部４１，４２，４３，４４が形成されている。開口部４１，４２，４３，４４は、正面板３１の長手方向に沿って、正面板３１の上部から下部に向かって、開口部４１，４２，４３，４４の順に配置されている。なお図２は、取付部材１３により開口部４２が塞がっている状態を示している。
【００２１】
開口部４１は、冊子収納ユニット７を取り付けるためのものであり、その長辺は、Ａ４サイズの冊子を収容可能な長さに設定されている。
開口部４２，４３，４４は、互いに同一の矩形状に形成されている。開口部４２〜４４における上側の短辺と下側の短辺にはそれぞれ、取付部材１３を開口部４２〜４４に取り付けるための凸部５１と凹部５２が設けられている。
【００２２】
取付部材１３は、開口部４２〜４４を覆うことが可能な大きさで形成された矩形状の板状部材である。取付部材１３の表面に呼出ランプ操作装置１１が固定される。なお、カップホルダユニット６は、取付部材１３の表面にカップホルダが取り付けられて構成されている。このためカップホルダユニット６は、取付部材１３を介して、間柱ユニット５の開口部４２〜４４に取り付けることができる。また、開口部４２〜４４を単に塞ぐために取付部材１３を用いてもよい（図１における呼出ランプ操作ユニット１とカップホルダユニット６との間の取付部材１３を参照）。
【００２３】
そして取付部材１３の裏面の上部には、凸部５１と係合可能なツメ（不図示）が形成されている。また、取付部材１３における下側の短辺には、開口部４２〜４４の凹部５２内に挿入可能なフック（不図示）が形成されている。このため、取付部材１３を開口部４２〜４４に取り付けるには、まず、取付部材１３を正面板３１の表面側から正面板３１に近づけて、下側のフックを開口部４２〜４４の凹部５２に差し込む。その後、下側のフックが開口部４２〜４４の凹部５２に差し込まれた状態を保持しながら、取付部材１３のツメを開口部４２〜４４の凸部５１に近付けることにより、取付部材１３のツメと開口部４２〜４４の凸部５１とを係合させる。これにより、取付部材１３が開口部４２〜４４を覆った状態で、取付部材１３が正面板３１に取り付けられる。
【００２４】
このように構成された呼出ランプ操作ユニット１では、間柱ユニット５が、互いに隣接するパチンコ機３の間に配置され、さらに取付部材１３により、呼出ランプ４に表示される内容を、必要がある情報表示に変更するために遊技者により操作される呼出ランプ操作装置１１が間柱ユニット５に取り付けられる。すなわち、呼出ランプ４に表示される情報の内容を、必要がある情報表示に変更するための呼出ランプ操作装置１１が、パチンコ機３の側方に配置される。これにより、椅子に座りながらパチンコ機３で遊技している遊技者は、呼出ランプ４に表示される内容を、必要がある情報表示に変更するために、手を大きく上げることなく呼出ランプ操作装置１１を操作することができる。そして大抵の遊技者は、椅子に座りながら呼出ランプ操作装置１１を操作する場合に、利き手でない左手で操作する傾向があり、パチンコ機３の発射ハンドルから右手を離してしまうことはない。これにより、パチンコ機３の稼働率の低下を抑制することができる。
【００２５】
また呼出ランプ操作ユニット１では、呼出ランプ操作装置１１が間柱ユニット５に取り付けられている状態を維持して、予め設定された移動範囲Ｒ１内で呼出ランプ操作装置１１を移動可能に支持する回転支持部１２を備える。これにより、上記移動範囲Ｒ１内で、遊技者が呼出ランプ操作装置１１を操作し易いように呼出ランプ操作装置１１の位置を調整することができる。
【００２６】
以上説明した実施形態において、呼出ランプ４は本発明における遊技機用表示装置、間柱ユニット５は本発明における遊技機間部材、呼出ランプ操作装置１１は本発明における操作部、回転支持部１２は本発明における支持部材である。
【００２７】
以上、本発明の一実施形態について説明したが、本発明は上記実施形態に限定されるものではなく、本発明の技術的範囲に属する限り種々の形態を採ることができる。
例えば上記実施形態では、パチンコ機間の間柱ユニットに呼出ランプ操作ユニット１を取り付けるものを示したが、スロット機間の間柱ユニットに取り付けるようにしてもよいし、遊技球または遊技メダルの貸出ユニットに取り付けるようにしてもよい。
【００２８】
また上記実施形態では、回転支持部１２が呼出ランプ操作装置１１を左右方向に移動可能に支持するものを示した。しかし、呼出ランプ操作装置１１の移動範囲はこれに限定されるものではなく、例えば、上下方向および前後方向に移動可能に呼出ランプ操作装置１１を支持するようにしてもよい。
【００２９】
また上記実施形態では、呼出ランプ操作装置１１が、操作内容を示す信号を信号線を介して呼出ランプ４へ出力するものを示した。しかし呼出ランプ操作装置１１が、無線通信により、操作内容を示す信号を呼出ランプ４へ送信するようにしてもよい。
【符号の説明】
【００３０】
１…呼出ランプ操作ユニット、２…遊技機島、３…パチンコ機、４…呼出ランプ、５…間柱ユニット、１１…呼出ランプ操作装置、１２…回転支持部、１３…取付部材
【図１】
2015073789.tif 000003
【図２】
2015073789.tif 000004
【図３】
2015073789.tif 000005